(57)【要約】【課題】  より簡単な構成で所望の安否確認を行うことができる集合住宅入居者の有事安否確認システムを提供すること。【解決手段】  監視装置と、携帯端末と、を具備してなる集合住宅入居者の有事安否確認システムにおいて、上記監視装置は、災害情報を入力入し、予め記憶されている入居者情報の中から上記災害情報に関連する入居者を割り出し、その割り出した入居者に安否確認依頼情報を出力し、上記携帯端末は、上記監視装置からの安否確認依頼情報を入力し、それに対する安否回答情報を上記監視装置に出力し、上記監視装置は上記携帯端末からの安否回答情報を受信して保存するようにしたもの。【選択図】  図１
2018147418.tif 000002
【特許請求の範囲】
【請求項１】
災害情報が入力される監視装置と、上記監視装置の監視下にある集合住宅入居者の複数個の携帯端末と、を具備してなる集合住宅入居者の有事安否確認システムにおいて、
上記監視装置は、災害情報を入力し、予め記憶されている入居者情報の中から上記災害情報に関連する入居者を割り出し、その割り出した入居者の携帯端末に安否確認依頼情報を出力し、
上記携帯端末は、上記監視装置からの安否確認依頼情報を入力し、それに対する安否回答情報を上記監視装置に出力し、
上記監視装置は上記携帯端末からの安否回答情報を受信・保存することを特徴とする集合住宅入居者の有事安否確認システム。
【請求項２】
請求項１記載の集合住宅入居者の有事安否確認システムにおいて、
上記入居者情報は入居者に関する情報及び入居者の居住情報であり、上記監視装置は上記災害情報と上記入居者情報に基づいて関連する入居者を割り出すものであることを特徴とする集合住宅入居者の有事安否確認システム。
【請求項３】
請求項２記載の集合住宅入居者の有事安否確認システムにおいて、
上記監視装置は上記災害情報に基づいて該当地域を割り出し、その割り出した該当地域と上記入居者情報に基づいて関連する入居者を割り出すものであることを特徴とする集合住宅入居者の有事安否確認システム。
【請求項４】
請求項１乃至請求項３の何れかに記載の集合住宅入居者の有事安否確認システムにおいて、
上記携帯端末は上記監視装置からの安否確認依頼信号を入力し、入居者による安否確認登録が行われたか否かを判別し、安否確認登録が行われた場合に「有事」又は「無事」を示す安否回答情報を上記監視装置に出力するものであることを特徴とする集合住宅入居者の有事安否確認システム。
【請求項５】
請求項１乃至請求項３の何れかに記載の集合住宅入居者の有事安否確認システムにおいて、
上記携帯端末は上記監視装置からの安否確認依頼信号を入力し、入居者による安否確認登録が行われたか否かを判別し、安否確認登録がされない場合に「有事」を示す安否回答情報を上記監視装置に出力するものであることを特徴とする集合住宅入居者の有事安否確認システム。
【請求項６】
請求項１乃至請求項３の何れかに記載の集合住宅入居者の有事安否確認システムにおいて、
上記携帯端末は上記監視装置からの安否確認依頼信号を入力し、入居者による安否確認登録が行われたか否かを判別し、安否確認登録が行われた場合であって安否回答情報を得ないときは、「有事」を示す安否回答情報を上記監視装置に出力するものであることを特徴とする集合住宅入居者の有事安否確認システム。
【請求項７】
請求項５記載の集合住宅入居者の有事安否確認システムにおいて、
上記携帯端末は安否確認登録が行われない場合起動から所定時間経過しているか否かを判別し、所定時間経過している場合に「有事」を示す安否回答情報を上記監視装置に出力するものであることを特徴とする集合住宅入居者の有事安否確認システム。
【請求項８】
請求項１乃至請求項３の何れかに記載の集合住宅入居者の有事安否確認システムにおいて、
上記携帯端末は上記監視装置からの安否確認依頼情報を入力し、カメラ撮影が行われたか否かを判別し、カメラ撮影が行われた場合にその画像情報を上記安否回答信号として上記監視装置に出力するものであることを特徴とする集合住宅入居者の有事安否確認システム。
【請求項９】
請求項８記載の集合住宅入居者の有事安否確認システムにおいて、
上記携帯端末はカメラ撮影が行われない場合起動から所定時間経過しているか否かを判別し、所定時間経過している場合に「有事」を示す安否回答情報を上記監視装置に出力するものであることを特徴とする集合住宅入居者の有事安否確認システム。
【請求項１０】
請求項１乃至請求項９の何れかに記載の集合住宅入居者の有事安否確認システムにおいて、
上記監視装置は上記複数個の携帯端末の少なくとも一から「有事」を示す安否回答情報を受信した場合、当該入居者の集合住宅に被害有と判定することを特徴とする集合住宅入居者の有事安否確認システム。
【発明の詳細な説明】
【技術分野】
【０００１】
本願発明は、アパート等の集合住宅に居住する入居者の有事安否確認システムに係り、例えば、地震発生時に予め登録されている入居者の携帯端末を使用し、入居者の有事の安否状況をより正確に確認することができるようにしたものに関する。
【背景技術】
【０００２】
近時、アパート等の集合住宅には、例えば、地方からの大学生等の単身者や若者転勤者が親元を離れて居住していることが多い。
【０００３】
このような状況で地震等の災害が起こると、独り暮らしをしている入居者を親元が心配し、従らに連絡をとろうとするため、通信の障害となることが多く、却って混乱を助長することが経験上知られている。
【０００４】
安否確認システムの構成を開示するものとして、例えば、特許文献１がある。この特許文献１に開示されている安否確認システムは、概略、住戸に設けられた入口扉及び屋内扉の開閉の有無を検出する検出装置と、所定の時間内に上記検出装置によって、扉の開閉有りと検出された回数を開閉回数として計数する計数装置と、開閉回数が所定の判定条件を満たす場合、異常を示す情報を報知する異常報知装置を備えてなる。
【先行技術文献】
【特許文献】
【０００５】
【特許文献１】特開２０１５−４６１５６号公報
【発明の概要】
【発明が解決しようとする課題】
【０００６】
従来の安否確認システムによれば、有事に集合住宅の入居者の安否の大よその確認をすることはできるが、より正確な状況を確認したいという問題があった。
【０００７】
本願発明はこのような点に基づいてなされたもので、その目的とするところは、有事に集合住宅の入居者の状況をより正確に確認することができる有事安否確認システムを提供することにある。
【課題を解決するための手段】
【０００８】
上記課題を解決するべく本願発明の請求項１による集合住宅入居者の有事安否確認システムは、災害情報が入力される監視装置と、上記監視装置の監視下にある集合住宅入居者の複数個の携帯端末と、を具備してなる集合住宅入居者の有事安否確認システムにおいて、上記監視装置は、災害情報を入力し、予め記憶されている入居者情報の中から上記災害情報に関連する入居者を割り出し、その割り出した入居者の携帯端末に安否確認依頼情報を出力し、上記携帯端末は、上記監視装置からの安否確認依頼情報を入力し、それに対する安否回答情報を上記監視装置に出力し、上記監視装置は上記携帯端末からの安否回答情報を受信・保存することを特徴とするものである。
また、請求項２による集合住宅入居者の有事安否確認システムは、請求項１記載の集合住宅入居者の有事安否確認システムにおいて、上記入居者情報は入居者に関する情報及び入居者の居住情報であり、上記監視装置は上記災害情報と上記入居者情報に基づいて関連する入居者を割り出すものであることを特徴とするものである。
また、請求項３による集合住宅入居者の有事安否確認システムは、請求項２記載の集合住宅入居者の有事安否確認システムにおいて、上記監視装置は上記災害情報に基づいて該当地域を割り出し、その割り出した該当地域と上記入居者情報に基づいて関連する入居者を割り出すものであることを特徴とするものである。
また、請求項４による集合住宅入居者の有事安否確認システムは、請求項１乃至請求項３の何れかに記載の集合住宅入居者の有事安否確認システムにおいて、上記携帯端末は上記監視装置からの安否確認依頼信号を入力し、入居者による安否確認登録が行われたか否かを判別し、安否確認登録が行われた場合に「有事」又は「無事」を示す安否回答情報を上記監視装置に出力するものであることを特徴とするものである。
また、請求項５による集合住宅入居者の有事安否確認システムは、請求項１乃至請求項３の何れかに記載の集合住宅入居者の有事安否確認システムにおいて、上記携帯端末は上記監視装置からの安否確認依頼信号を入力し、入居者による安否確認登録が行われたか否かを判別し、安否確認登録がされない場合に「有事」を示す安否回答情報を上記監視装置に出力するものであることを特徴とするものである。
また、請求項６による集合住宅入居者の有事安否確認システムは、請求項１乃至請求項３の何れかに記載の集合住宅入居者の有事安否確認システムにおいて、上記携帯端末は上記監視装置からの安否確認依頼信号を入力し、入居者による安否確認登録が行われたか否かを判別し、安否確認登録が行われた場合であって安否回答情報を得ないときは、「有事」を示す安否回答情報を上記監視装置に出力するものであることを特徴とするものである。
また、請求項７による集合住宅入居者の有事安否確認システムは、請求項５記載の集合住宅入居者の有事安否確認システムにおいて、上記携帯端末は安否確認登録が行われない場合起動から所定時間経過しているか否かを判別し、所定時間経過している場合に「有事」を示す安否回答情報を上記監視装置に出力するものであることを特徴とするものである。
また、請求項８による集合住宅入居者の有事安否確認システムは、請求項１乃至請求項３の何れかに記載の集合住宅入居者の有事安否確認システムにおいて、上記携帯端末は上記監視装置からの安否確認依頼情報を入力し、カメラ撮影が行われたか否かを判別し、カメラ撮影が行われた場合にその画像情報を上記安否回答信号として上記監視装置に出力するものであることを特徴とするものである。
また、請求項９による集合住宅入居者の有事安否確認システムは、請求項８記載の集合住宅入居者の有事安否確認システムにおいて、上記携帯端末はカメラ撮影が行われない場合起動から所定時間経過しているか否かを判別し、所定時間経過している場合に「有事」を示す安否回答情報を上記監視装置に出力するものであることを特徴とするものである。
また、請求項１０による集合住宅入居者の有事安否確認システムは、請求項１乃至請求項９の何れかに記載の集合住宅入居者の有事安否確認システムにおいて、上記監視装置は上記複数個の携帯端末の少なくとも一から「有事」を示す安否回答情報を受信した場合、当該入居者の集合住宅に被害有と判定することを特徴とするものである。
【発明の効果】
【０００９】
以上述べたように本願発明の請求項１による集合住宅入居者の有事安否確認システムによると、災害情報が入力される監視装置と、上記監視装置の監視下にある複数個の携帯端末と、を具備してなる集合住宅入居者の有事安否確認システムにおいて、上記監視装置は、災害情報を入力し、予め記憶されている集合住宅の入居者情報の中から上記災害情報に関連する入居者を割り出し、その割り出した入居者携帯端末に安否確認依頼情報を出力し、上記携帯端末は、上記監視装置からの安否確認依頼情報を入力し、それに対する安否回答情報を上記監視装置に出力し、上記監視装置は上記携帯端末からの安否回答情報を受信・保存する構成になっているので、有事に入居者の安否につきより正確な状況を確認することができる。
又、請求項２による集合住宅入居者の有事安否確認システムによると、請求項１記載の集合住宅入居者の有事安否確認システムにおいて、上記入居者情報は入居者に関する情報及び入居者の居住情報であり、上記監視装置は上記災害情報と上記入居者情報に基づいて関連する入居者を割り出すものであるので、その有事に関連する入居者を正確に割り出してその安否を確認することができる。
又、請求項３による集合住宅入居者の有事安否確認システムによると、請求項２記載の集合住宅入居者の有事安否確認システムにおいて、上記監視装置は上記災害情報に基づいて該当地域を割り出し、その割り出した該当地域と上記入居者情報に基づいて関連する入居者を割り出すものであるので、上記効果をより高いものとすることができる。
又、請求項４による集合住宅入居者の有事安否確認システムによると、請求項１乃至請求項３の何れかに記載の集合住宅入居者の有事安否確認システムにおいて、上記携帯端末は上記監視装置からの安否確認依頼信号を入力し、入居者による安否確認登録が行われたか否かを判別し、安否確認登録が行われた場合に「有事」又は「無事」を示す安否回答情報を上記監視装置に出力するものであるので、単なる生存確認だけではなく、より正確な安否を確認することができる。
又、請求項５による集合住宅入居者の有事安否確認システムによると、請求項１乃至請求項３の何れかに記載の集合住宅入居者の有事安否確認システムにおいて、上記携帯端末は上記監視装置からの安否確認依頼信号を入力し、入居者による安否確認登録が行われたか否かを判別し、安否確認登録がされない場合に「有事」を示す安否回答情報を上記監視装置に出力するものであるので、単なる生存確認だけではなく、より正確な安否を確認することができる。
又、請求項６による集合住宅入居者の有事安否確認システムによると、請求項１乃至請求項３の何れかに記載の集合住宅入居者の有事安否確認システムにおいて、上記携帯端末は上記監視装置からの安否確認依頼信号を入力し、入居者による安否確認登録が行われたか否かを判別し、安否確認登録が行われた場合であって回答情報を得ないときは、「有事」を示すその安否回答情報を上記監視装置に出力するものであるので、単なる生存確認だけではなく、より正確な安否を確認することができる。
又、請求項７による集合住宅入居者の有事安否確認システムによると、請求項５記載の集合住宅入居者の有事安否確認システムにおいて、上記携帯端末は安否確認登録が行われない場合起動から所定時間経過しているか否かを判別し、所定時間経過している場合に「有事」を示す安否回答情報を上記監視装置に出力するものであるので、より慎重な方向での監視が可能になる。
又、請求項８による集合住宅入居者の有事安否確認システムによると、請求項１乃至請求項３の何れかに記載の集合住宅入居者の有事安否確認システムにおいて、上記携帯端末は上記監視装置からの安否確認依頼情報を入力し、カメラ撮影が行われたか否かを判別し、カメラ撮影が行われた場合にその画像情報を上記安否回答信号として上記監視装置に出力するものであるので、現場の事情に基づいた安否確認が可能になる。
又、請求項９による集合住宅入居者の有事安否確認システムによると、請求項８記載の集合住宅入居者の有事安否確認システムにおいて、上記携帯端末はカメラ撮影が行われない場合起動から所定時間経過しているか否かを判別し、所定時間経過している場合に「有事」を示す安否回答情報を上記監視装置に出力するものであるので、より慎重な方向での監視が可能になる。
又、請求項１０による集合住宅入居者の有事安否確認システムによると、請求項１乃至請求項９の何れかに記載の集合住宅入居者の有事安否確認システムにおいて、上記監視装置は上記複数個の携帯端末の少なくとも一から「有事」を示す安否回答情報を受信した場合、当該入居者の集合住宅に被害有と判定するので、災害発生時における集合住宅の被害状況の確認を迅速且つ正確に行うことができる。
【図面の簡単な説明】
【００１０】
【図１】本願発明の第１の実施の形態を示す図で、集合住宅入居者の有事安否確認システムの全体構成を示すブロック図である。
【図２】本願発明の第１の実施の形態を示す図で、クラウドサーバの構成を示すブロック図である。
【図３】本願発明の第１の実施の形態を示す図で携帯端末の構成を示すブロック図である。
【図４】本願発明の第１の実施の形態を示す図で、（Ａ）は携帯端末の画面に表示される災害情報の内容を示す図、（Ｂ）は携帯端末の画面に表示される災害情報の内容を示す図、（Ｃ）は安否確認依頼情報の内容を示す図、（Ｄ）は安否確認の回答情報の内容を示す図である。
【図５】本願発明の第１の実施の形態を示す図で、クラウドサーバの情報処理を説明するためのフローチャートである。
【図６】本願発明の第１の実施の形態を示す図で、携帯端末の情報処理を説明するためのフローチャートである。
【図７】本願発明の第２の実施の形態を示す図で、携帯端末の情報処理を説明するためのフローチャートである。
【発明を実施するための形態】
【００１１】
以下、図１乃至図７を参照して本願発明の第１の実施の形態を説明する。図１は、本実施の形態による集合住宅入居者の有事安否確認システムの全体の構成を示すブロック図であり、監視装置としてのクラウドサーバ１と、通信ネットワーク３と、予め登録されている複数の入居者の携帯端末５と、から構成されている。本実施例では、携帯端末５にスマートフォンを用いる。上記クラウドサーバ１には当局（例えば、気象庁）７から災害情報が入力され、クラウドサーバ１は、その入力した災害情報と、予め記憶されている入居者情報に基づいて、その有事に関連する入居者を市町村単位で割り出して、安否確認依頼信号を出力する。上記災害情報としては、例えば、地震、台風、等の自然災害情報が挙げられる。以下、詳細に説明する。
【００１２】
上記クラウドサーバ１は、図２に示すように、ＣＰＵ（中央演算処理装置）１１と、メモリ１３と、入出力部１５と、表示部１７と、から構成されている。上記メモリ１３には、クラウドサーバ側安否確認プログラムが記憶されているとともに入居者情報が予め記憶されている。上記入居者情報には、各入居者の氏名、メールアドレス、ＩＤ、携帯端末番号等入居者に関する情報及び入居者の居住情報が含まれている。上記居住情報には、住所に関する情報、建物に関する情報、部屋に関する情報、等が含まれている。
【００１３】
上記ＣＰＵ１１は、当局７から送られてくる災害情報から該当地域を割り出す。又、その割り出した該当地域に関する情報と上記メモリ１３に記憶されている入居者情報とから、その該当地域に関連する入居者を割り出す。そして、その割り出した入居者に対して、安否確認依頼情報を上記入出力部１５及び通信ネットワーク３を介して出力する。
【００１４】
一方、上記携帯端末５は、図３に示すように、ＣＰＵ（中央演算処理装置）２１と、メモリ２３と、入出力部２５と、表示部２７と、から構成されている。上記メモリ２３には予め携帯端末側安否確認プログラムが記憶されている。
上記ＣＰＵ２１は、上記クラウドサーバ１からの安否確認依頼情報に基づいて、上記メモリ２３に予め記憶されている上記携帯端末側安否確認プログラムを起動させる。そして、安否回答情報を上記入出力部２５及び通信ネットワーク３を介して上記クラウドサーバ１側に出力する。
【００１５】
上記クラウドサーバ１は上記携帯端末５側からの安否回答情報を入力・保存する。
【００１６】
上記クラウドサーバ１から上記携帯端末５に出力される安否確認依頼情報としては、例えば、図４に示すようなものである。図４（Ａ）及び同（Ｂ）が災害情報を示し、（Ｃ）が安否確認依頼情報を示し、（Ｄ）が安否確認の回答情報の内容を示す。
図４に示す災害情報は地震に関する情報であり、地震の発生時刻、発生場所、地震の規模、等を表示している。図４に示す安否確認の回答形式は、例えば、アンケート形式により、「有事／無事」を確認したり、「被害有／無」を確認したりする。
【００１７】
具体的にみると、図４上段の災害情報は地震等の災害があったことを示し、入居者の注意を促すものである。図４（Ａ）には当局からの「震度速報」「気象警報・注意報」等が表示され、図４（Ｂ）には「震源・震度情報」「発表時刻」「地震発生時刻」「震源地」「各地の震度」「注意事項・付加事項」等が、夫々、日本文及び英文にて表示される。
【００１８】
また図４下段の安否確認依頼／回答情報は予め設定された大規模な災害、例えば、震度５強以上の地震があった場合、入居者の安否確認依頼をする画面が表示され（図４（Ｃ））、入居者がタップ操作をすると図４（Ｄ）に示す画面となり、この画面にて入居者は「有事／無事」の回答操作をする。
【００１９】
以上の構成を基にその作用を説明する。
まず、図５のフローチャートを参照してクラウドサーバ１側の情報処理を説明する。例えば、地震等の災害が発生すると、当局７からクラウドサーバ１に対して災害情報、例えば、「気象災害Ｌアラート情報」が出力される。それによって、クラウドサーバ側安否確認プログラムが起動する。「気象災害Ｌアラート情報」は、例えば、震度５強以上のとき出力されるよう設定される。以下、説明する。
【００２０】
まず、ステップＳ１において、当局７からの「気象災害Ｌアラート情報」をクラウドサーバ１が受信する。次いで、ステップＳ２に移行して、クラウドサーバ１は受信した「気象災害Ｌアラート情報」に基づいて該当地域を市町村単位で割り出す。次いで、ステップＳ３に移行して、割り出した該当地域に関連する入居者を割り出す。
【００２１】
次いで、ステップＳ４に移行して、「気象災害Ｌアラート情報・安否確認依頼情報」を入居者の携帯端末５に送信する。次いで、ステップＳ５に移行して、入居者の携帯端末５からの「安否回答情報」を受信する。次いで、ステップＳ６に移行して、受信した入居者からの「安否回答情報」をメモリ１３に保存する。
【００２２】
ステップＳ４〜ステップＳ６までの処理の詳細に関し、本実施例では、アパート等の集合住宅に居住する入居者の複数個の携帯端末５に対して、「気象災害Ｌアラート情報・安否確認依頼情報」を出力した後、一定時間経過しても「安否回答情報」が得られない入居者に対し、「気象災害Ｌアラート情報・安否確認依頼情報」を繰り返し出力する。
そして、「気象災害Ｌアラート情報・安否確認依頼情報」の出力を設定回数繰り返しても「安否回答情報」が得られない場合に「有事」と判定する。
【００２３】
一方、入居者の携帯端末５側では、図６に示すような情報処理が行われる。まず、ステップＳ１１において、クラウドサーバ１からの「気象災害Ｌアラート情報・安否確認依頼情報」を受信する。次いで、ステップＳ１２に移行して、携帯端末側安否確認プログラムが起動する。次に、ステップＳ１３に移行して、安否確認登録が行われたか否かの判別が行われる。安否確認登録は、本実施例では、タップ操作の有無により判別する。安否確認登録が行われたと判別された場合にはステップＳ１４に移行する。
【００２４】
ステップＳ１４では、「安否回答」があるか否かを判別する。「安否回答」がある場合、ステップＳ１５に移行し、「安否回答情報」をクラウドサーバ１に出力する。この場合の「安否回答情報」は「有事情報」、「無事情報」の何れかである。「有事」を示す「安否回答情報」において、入居者は「有事」の具体的内容を入力することができる。
「安否回答」がない場合は「有事」を示す「安否回答情報」をクラウドサーバ１に出力する（ステップＳ１６）。
【００２５】
これに対して、ステップＳ１３において、安否確認登録が行われていないと判別された場合には、ステップＳ１７に移行する。ステップＳ１７では、起動後所定時間が経過したか否かが判別される。回答がないまま所定時間を経過した場合にはステップＳ１８に移行して「安否回答情報」をクラウドサーバ１に出力する。この場合の「安否回答情報」は「有事」を示す回答となる。
【００２６】
これに対して、ステップＳ１７において、所定時間を経過していないと判別した場合には上記ステップＳ１３に戻る。以下、同様の処理が繰り返される。
尚、入居者は、「無事」な場合、各自、離隔地にいる家族にその無事を知らせることができる。
【００２７】
以上本実施の形態によると次のような効果を奏することができる。
まず、地震等の災害発生時に予め登録されている入居者の安否を迅速且つ確実に確認することができる。これは、当局７からの「気象災害Ｌアラート情報」に基づいて、該当地域を割り出すとともにその該当地域に関連する入居者を速やかに割り出して、「気象災害Ｌアラート情報・安否確認依頼情報」を出力するように構成したからである。
【００２８】
携帯端末５からの「安否回答情報」もより正確なものとなっている。すなわち、安否確認登録がなされた場合に「有事」、「無事」を示す「安否回答情報」が出力される。この「安否回答情報」には、入居者による詳細な回答が入力されている。
また、安否確認登録がなされたにもかかわらず、「安否回答」がない場合には、「有事」と判別し、「有事」を示す回答情報がクラウドサーバ１に出力される。
さらに、携帯端末側安否確認プログラムが起動した後所定時間が経過しても安否確認登録が行われていない場合には、「有事」を示す「安否回答情報」が出力されるように構成されている。
さらに又、その有事に直接関連しない入居者、即ち当該災害に該当する市町村外の入居者に対しては「気象災害Ｌアラート情報・安否確認依頼情報」が出力されることはないので無用な混乱を生じさせることもない。
【００２９】
次に、図７を参照して本願発明の第２の実施の形態を説明する。
クラウドサーバ１側の情報処理は前記第１の実施の形態の場合と同じであるが、携帯端末５側の情報処理が若干異なっている。以下、説明する。
まず、ステップＳ２１において、クラウドサーバ１からの「気象災害Ｌアラート情報・安否確認依頼情報」を受信する。次いで、ステップＳ２２において、携帯端末側安否確認プログラムを起動する。次いで、ステップＳ２３に移行して、携帯端末５によるカメラ撮影が行われたか否かが判別される。撮影が行われたと判別された場合には、ステップＳ２４に移行して、その撮影した画像データをクラウドサーバ１に出力する。
本実施例では、ステップＳ２３におけるカメラ撮影は携帯利用者によるカメラ撮影を意味している。
【００３０】
これに対して、撮影が行われていないと判別された場合には、ステップと２５に移行して、携帯端末側安否確認プログラムが起動してから所定時間経過したか否かが判別される。所定時間経過していると判別された場合には、ステップＳ２６に移行して、「有事」を示す「安否回答情報」がクラウドサーバ１に出力される。これに対して、所定時間経過していないと判別された場合にはステップＳ２３に戻り切換し判別処理が行われる。
その他の構成は前記第１の実施の形態の場合と同じである。
【００３１】
このような構成でも前記第１の実施の形態の場合と同様の効果を奏することができるとともに、任意に撮影された画像データに基づいて入居者の周囲の状況をより正確に確認することが可能になる。
【００３２】
前記第１、第２の実施の形態において、上記監視装置は集合住宅入居者の上記複数個の携帯端末の少なくとも一から有事情報を受信した場合、当該入居者の集合住宅に被害有と判定するようにしてもよい。かかる場合は入居者という人的被害だけでなく、集合住宅の物的被害も判定可能となる。
【００３３】
本願発明は前記第１、第２の実施の形態に限定されるものではない。
まず、前記第１、第２の実施の形態の場合には、災害の一例として地震を例に挙げて説明したが、それに限定されるものではなく、台風、大雪、等様々な自然災害が想定される。
又、自然災害以外にも、各種事故、火事、等の人的災害も想定される。
又、前記第１、第２の実施の形態では、入居者情報として居住情報を例に挙げて説明したが、それに限定されるものではない。
その他、図示した構成はあくまで一例である。
【産業上の利用可能性】
【００３４】
本願発明は、集合住宅入居者の有事安否確認に適用されるものであり、とくに、アパート等の集合住宅の貸借人の災害発生時の安否確認に活用可能である。
【符号の説明】
【００３５】
１  クラウドサーバ（監視装置）
３  通信ネットワーク
５  携帯端末
７  当局
【図１】
2018147418.tif 000003
【図２】
2018147418.tif 000004
【図３】
2018147418.tif 000005
【図４】
2018147418.tif 000006
【図５】
2018147418.tif 000007
【図６】
2018147418.tif 000008
【図７】
2018147418.tif 000009